(57)【要約】      （修正有）【課題】配重調整可能なゴルフクラブヘッドの提供。【解決手段】ヘッド１の背面下方に数個の円形凸柱１１を設け、中心に容置槽１２を開設し、それぞれ配重ブロック２を置入し、前後支承素子、及び、スリーブからなる。前支承素子２１は円錐形体で、中心に螺孔を有し、後支承素子２２は前支承素子の錐度に対応して設けられ、前端に螺紋段２２１を延伸する。螺紋段は前支承素子上の螺孔２１３から旋入する。スリーブは前後支承素子の外縁間に係合する。周縁は数個の切り込みを有し、一端の筒口から割裂して縫口を形成し、縫口間は交錯開設され、スリーブの両端は適当な拡張と回復弾性のギャップを生成し、スリーブの筒孔は前後支承素子と相同の錐度を有し、緊密に結合し、異なる比重の金属材質からなり、異なる重量の配重ブロックに変化させる。【選択図】図１
0003130408.tif 000002
【実用新案登録請求の範囲】
【請求項１】
配重調整可能なゴルフクラブヘッドであって、ヘッドの背面下方に数個の円形凸柱を連設し、前記円形凸柱の中心は容置槽を開設し、中にそれぞれ配重ブロックを置入し、前記配重ブロックは、前支承素子、後支承素子、及び、スリーブからなり、前記前支承素子は円錐形体で、中心に螺孔を有し、前記後支承素子は前記前支承素子の錐度に対応して設置された円錐形栓頭で、前端に螺紋段を延伸し、前記螺紋段は前記前支承素子上の螺孔から旋入して旋動し、前記スリーブは、前記前後支承素子の外縁間に係合し、周縁は直筒状で、上に縦向けの切り込みを有し、前記切り込みは筒口から割裂して縫口を形成し、且つ、縦向け切り込みの縫口間は交錯開設をなし、前記スリーブの両端筒口は適当な拡張、及び、回復弾性のギャップを有し、筒壁内面は中央から両端筒口に向けて拡張して、二段の相反方向の円錐形筒孔を呈し、前記筒孔は前記前後支承素子は相同の錐度を有し、その間は緊密に結合し、且つ、前記スリーブは多種の異なる材質からなり、多種の異なる重量の配重ブロックに変化させ、
これにより、前記後支承素子は前記容置槽から旋出し、前記スリーブは前記縦向けの切り込みの回復弾性により、前記容置槽内面間に緩みを形成し、取り出して交換でき、使用者は自身でヘッドの重心位置を調整でき、個人のスウィング姿勢や習慣によりヘッド重心を決定スrことが出来ることを特徴とする配重調整可能なゴルフクラブヘッド。
【請求項２】
前記ヘッドの前記容置槽前方は、透孔を連通し、前記透孔は前記円形凸柱の前端面を貫通し、孔縁は十字型の制限棒を凸設し、前記前支承素子の前端面上に符合し、対応する十字型ノッチを凹設し、その間が緊密に結合し、前記前支承素子が旋動を生成するのを防止することを特徴とする請求項１に記載の配重調整可能なゴルフクラブヘッド。
【請求項３】
前記スリーブはステンレス、チタン、ニッケル、アルミニウム、銅等の金属材質、或いは、熱可塑性ポリウレタン樹脂（TPU）からなることを特徴とする請求項１に記載の配重調整可能なゴルフクラブヘッド。
【請求項４】
前記ヘッドの背面下方に数個の長い円形凸柱を連設し、内部の容置槽の槽壁内面は両滑槽を凹設し、前記前支承素子の辺縁は二トラックを凸設し、前記前支承素子は前記容置槽内に置入されて、旋動の生成を防止し、前記前支承素子は数種の異なる長さの螺紋段を有し、前記ヘッド重心の深さにより適当な長さを選択し、異なる長さの螺紋段の後支承素子により、配重重量を変更し、ヘッドの重心位置を調整することを特徴とする請求項１に記載の配重調整可能なゴルフクラブヘッド。
【請求項５】
前記ヘッドの背面下方に数個の短い円形凸柱を連設し、前記円形凸柱の前端面上に六角孔を穿設し、前記配重ブロックは内支承素子と外筒からなり、前記内支承素子は円錐形栓頭で、前端は螺紋段を延伸し、外筒上は裂縫を割裂し、且つ、前端に止動ブロックを凸設し、前記止動ブロックは円形凸柱前端面上の六角孔を貫通して、前記外筒の旋動を防止し、更に、前記外筒の筒壁内面は前記内支承素子の錐度に対応して設けられ、その間は緊密に結合し、異なる長さの螺紋段の内支承素子を交換し、ヘッドの重心位置を調整することを特徴とする請求項１に記載の配重調整可能なゴルフクラブヘッド。
【考案の詳細な説明】
【技術分野】
【０００１】
本考案は配重調整可能なゴルフクラブヘッドに関し、特に、多種形式、及び、重量の配重ブロックを有し、使用者はスウィング姿勢と習慣により、自身でヘッドの重心位置を調整することができ、且つ、調整、製造において便利である配重調整可能なゴルフクラブヘッドに関する。
【背景技術】
【０００２】
近年、ゴルフクラブヘッドの製造技術は日々発展し、製品の形態、及び、規格も多様化している。その形態、及び、規格が如何に多様化しても、使用者が求めるのは、使用するヘッドが球を精確、且つ、遠くに飛ばし、ホールに少しでも近くなるように、ホールに必要なパーを減少させることである。しかし、球を精確、且つ、遠くに飛ばすためには、使用者はスウィング時、ヘッド速度、インパクト等のテクニックの掌握に頼る。
【０００３】
この現象に対し、業界が開発したのは重心を調整するヘッドで、使用者のスウィング姿勢、及び、習慣によって重心位置を変化させるものである。しかし、現在この功能を有するヘッドはねじを配重とし、即ち、ヘッド上に数個のねじを旋入する螺孔を開設し、ねじの装設位置を変化させるか、或いは、異なる重量のねじを変更することにより、重心調整の目的を達成する。しかし、この構造は、設計上、ヘッド製作において精密性への要求が高く、また、螺孔の形成は、煩雑な工程が必要でなり、コストがかかる。また、加工工程中に誤差があるとそのヘッドは無用なものとなり、全コストを無駄にする。
【考案の開示】
【考案が解決しようとする課題】
【０００４】
本考案は、配重の調整可能なゴルフクラブヘッドで、多種形式、及び、重量のは移住ブロックを有し、使用者のスウィング姿勢、及び、習慣により、自身でヘッドの重心位置を調整でき、調整、製造に便利なゴルフクラブヘッドを提供することを目的とする。
【課題を解決するための手段】
【０００５】
本考案の配重調整可能なゴルフクラブヘッドは、ヘッドの背面下方に数個の円形凸柱を設け、中心に容置槽を開設し、それぞれ配重ブロックを置入し、前後支承素子、及び、スリーブからなる。前支承素子は円錐形体で、中心に螺孔を有し、後支承素子は前支承素子の錐度に対応して設けられ、前端に螺紋段を延伸する。螺紋段は前支承素子上の螺孔から旋入する。スリーブは前後支承素子の外縁間に係合する。周縁は数個の切り込みを有し、一端の筒口から割裂して縫口を形成し、縫口間は交錯開設され、スリーブの両端は適当な拡張と回復弾性のギャップを生成し、スリーブの筒孔は前後支承素子と相同の錐度を有し、緊密に結合し、異なる比重の金属材質からなり、異なる重量の配重ブロックに変化させる。
【考案の効果】
【０００６】
本考案により、姿勢や習慣によって、ヘッドの重心位置を調整することができる。
【考案を実施するための最良の形態】
【０００７】
図１、図２で示されるように、本考案の一体成形に鋳造したゴルフクラブヘッド（１）背面下方に、数個の円形凸柱（１１）を連設し、円形凸柱（１１）はヘッド（１）の内部に伸入し、且つ、その間は適当な間隔を有し、中央に容置槽（１２）を開設し（図３を参照）、各容置槽（１２）は後方に開口を有し、前方は口径が小さい透孔（１２１）の槽道を連通し、透孔（１２１）は円形凸柱（１１）の前端面を貫通し、ヘッド（１）内部に抵通する。また、透孔（１２１）の孔口外縁は十字型の制限棒（１２２）を凸設し、十字型制限棒（１２２）は容置槽（１２）前端内面の連設される。配重ブロック（２）は後から前に容置槽（１２）内に置入されてシフトし、任意の旋動を制限、防止する作用を生成する。
【０００８】
配重ブロック（２）は、前支承素子（２１）、後支承素子（２２）、及び、スリーブ（２３）からなる（図３で示される）。前支承素子（２１）は前から後に徐々に縮小される円錐形体で、前縁は外径が大きい端頭（２１１）を連設し、端頭（２１１）はヘッド（１）上の容置槽（１２）の槽口と相同の尺寸で、その中に置入する。端頭（２１１）の前端面上に十字型のノッチ（２１２）を凹設し、十字型ノッチ（２１２）は容置槽（１２）前端の制限棒（１２２）の位置と尺寸に対応して設置され、前支承素子（２１）が容置槽（１２）の最前端に移動する時、その間は係合して、前支承素子（２１）が旋動を生じるのを防止する。前支承素子（２１）の中心に、螺孔（２１３）を穿設し、螺孔（２１３）は容置槽（１２）の前方の透孔（１２１）と貫通し、後支承素子（２２）と螺合させる。
【０００９】
後支承素子（２２）は、後から前に徐々に縮小する円錐形栓頭で、前支承素子（２１）の錐度に対応して設置され、その前端に適当な長さの螺紋段（２２１）を延伸し、前支承素子（２１）上の螺孔（２１３）から旋入し、前後の旋動する。後端面上に工具孔（２２２）を凹設し、工具を挿入して旋動操作に便利である。
【００１０】
スリーブ（２３）は適当な長さの円形筒体で、且つ、その外径は容置槽（１２）の槽口内径と相同の尺寸で、また、上に数個の縦向け切り込み（２３１）（２３２）を有し、縦向け切り込み（２３１）（２３２）間は等間隔で設置され、一端は筒口から割裂して縫口を形成すると共に、もう一端に直線で適当な長さの裂縫を延伸する。縦向け切り込み（２３１）（２３２）の縫口間は交錯開設をなし、スリーブ（２３）の筒壁内面は中央から両端筒口に外に拡張して、二段の八の字型を形成する。反対方向に円錐形の筒孔を呈し、筒孔は前、後支承素子（２１）（２２）と相同の錐度を有し、緊密に係合する。組設が完成し、容置槽（１２）後方の開口から置入された後、時計回りに後支承素子（２２）を旋動して、前端の螺紋段（２２１）の前支承素子（２１）中心の螺孔（２１３）を前に旋移させ、スリーブ（２３）を前移させると共に、両端筒口をそれぞれ、前、後支承素子（２１）（２２）の錐度に沿って徐々に外に拡張し、後支承素子（２２）前端の螺紋段（２２１）が完全に前支承素子（２１）中心箇所の螺孔（２１３）を旋経するまでヘッド（１）の容置槽（１２）槽壁内面を圧迫し、且つ、容置槽（１２）前方の透孔（１２１）から穿出して、スリーブ（２３）の両端がそれぞれ、容置槽（１２）内に緊迫して、ヘッド（１）の重心位置を決定する（図４、図５で示される）。更に、後支承素子（２２）を逆向けの旋出することにより、スリーブ（２３）を前、後支承素子（２１）（２２）の錐度に沿って後ろに推送し、各縦向け切り込み（２３１）（２３２）の弾性回復により、スリーブ（２３）は容置槽（１２）の槽口内面間に緩みを形成し、その後、後支承素子（２２）を取り出し、異なる配重重量に交換して、新たに装着し、ヘッド（１）重心の調整作用を達する。更に、スリーブ（２３）は多種の異なる比重の金属材質（ステンレス、チタン、ニッケル、アルミニウム、銅等）を採用し、また、熱可塑性ポリウレタン樹脂（TPU）等でもよく、使用者の個人の要求により任意に交換でき、多種異なる重量の配重ブロックを提供する。
【００１１】
実施方式は、使用者が球を打った後、球の飛行角度と落下地点に基づいて、ヘッド（１）重心の偏移位置を検視すると共に、適当な円形凸柱（１１）内の配重ブロック（２）を選定し、調整する。調整時、選定した凸柱（１１）中央の容置槽（１２）内の後支承素子（２２）を後に旋出し、スリーブ（２３）は縦向け切り込み（２３１）（２３２）の弾性回復を利用して、容置槽（１２）槽壁内面間に緩みを形成し、スリーブ（２３）を槽内から取り出し、異なる重量に交換し、新たに容置槽（１２）内に設置する。後支承素子（２２）前端は螺紋段（２２１）を延伸し、容置槽（１２）内部の前支承素子（２１）中心の螺孔（２１３）に照準し、螺紋を旋向旋回させて、使用者個人のフォームや習慣により重心位置を調整する。
【００１２】
本考案は、一体成形に鋳造するヘッド（１）背面下方に数個の円形凸柱（１１）を連設し、凸柱（１１）内は開口が後向けの容置槽（１２）を有し、中にそれぞれ配重ブロック（２）を置入し、配重ブロック（２）は、前支承素子（２１）、後支承素子（２２）、及び、スリーブ（２３）からなり、且つ、その間は錐度をなす緊密係合で、スリーブ（２３）の筒壁上に縦向け切り込み（２３１）（２３２）を有し、前支承素子（２１）の旋動を防止する構造設計により、前向けに後支承素子（２２）を旋動すれば、配重ブロック（２）を容置槽（１２）内に固定でき、ヘッド（１）の重心位置が決定される。後支承素子（２２）を後ろに旋出すれば、スリーブ（２３）を容置槽（１２）内から取り出しでき、異なる重量の配重に変換して、新たに設置すれば、ヘッド（１）重心調整作業が完成する。よって、本考案は使用者の個人の姿勢や習慣により自身でヘッド（１）の重心位置を調整できるという使用功能を達成し、調整操作が非常に容易である。更に、本考案のヘッド（１）は鋳造方法の一体成形で、絞孔等の煩雑な後続加工作業が不要なので、製造しやすく、コストも減少する。
【００１３】
図６は本考案のもう一つの実施例を示し、図から分かるように、ヘッド（１A）は前述のよりも長い円形凸柱（１A１）を有し、円形凸柱（１A１）の内部は同様に容置槽（１A２）を開設し、且つ、容置槽壁内面は１８０度隔てて二滑槽（１A２３）（１A２４）を凹設し、前支承素子（２A１）前端は外径が大きい端頭（２A１１）辺縁に、対応する二トラック（２A１４）（２A１５）を凸設し、前支承素子（２A１）は容置槽（１A２）内に置されて円滑に滑移し、且つ、旋動の生成を防止する。後支承素子（２A２）は数種の異なる長さの螺段紋（２A２１）の規格を有し、使用者が選定するヘッド（１A）の重心位置の深さにより、適当な長さの螺紋段（２A２１）の後支承素子（２A２）を選択し、前支承素子（２A１）中伸の螺孔（２A１３）から旋入し、旋動する。前後支承素子（２A１）（２A２）はスリーブ（２A３）両端が頂推し、スリーブ（２A３）筒口箇所の切り込み（２A３１）（２A３２）はそれぞれ、前後支承素子（２A１）（２A２）の錐度に沿って外に拡張し、容置槽（１A２）の槽口内に緊迫する。螺紋段（２A２１）の最前端が容置槽（１A２）前方の封閉面の内面に達するとき、使用者の選定するヘッド（１A）重心位置を決定し、異なる長さの螺紋段（２A２１）の後支承素子（２A２）を交換して配重重量を変化させ、ヘッド（１A）の重心位置を調整し、使用者は自身で調整操作ができる。
【００１４】
図７を参照すると、本考案は上述の長い円形凸柱（１A１）のヘッド（１A）に用いる以外に、ヘッド（１B）背面下方の円形凸柱（１B１）が短いものにも用いることができる。この実施例は、円形凸柱（１B１）中央の容置槽（１B２）の前端面上に、ヘッド（１B）内部まで達する六角孔（１B２５）を穿設する。且つ、配重ブロックは前支承素子を省略し、内支承素子（２’４）、及び、外筒（２’５）からなる。内支承素子（２’４）は後から前に徐々に縮小する円錐形栓頭で、その前端は螺紋段（２’４１）を延伸する。外筒（２’５）の周縁は容置槽（１B２）内径と相同の尺寸、深さであり、容置槽（１B２）内に置入し、上に数個の裂縫（２’５１）を有する。裂縫（２’５１）は後端筒口から割裂して縫口（２’５１）を形成し、適当に拡張、回復する弾性ギャップを生成する。外筒（２’５）の前端は止動ブロック（２’５２）を凸設し、止動ブロック（２’５２）は容置槽（１B２）前端面上の六角孔（１B２５）と相同の形状、尺伸で、その中に穿入して、外筒（２’５）が旋動を生成するのを防止する。止動ブロック（２’５２）の中心に、螺孔（２’５３）を穿設し、内支承素子（２’４）前端の螺紋段（２’４１）を旋入する。また、外筒（２’５）の筒壁内面は内支承素子（２’４）の錐度によって設けられ、その間は緊密に結合し、内支承素子（２’４）を旋動させて、外筒（２’５）後端筒口の裂縫（２’５１）を外に拡張し、容置槽（１B２）の槽口内面に緊迫させて、ヘッド（１B）の重心位置を決定する。更に、内支承素子（２’４）が逆向きに旋出し、異なる長さの螺紋段（２’４１）の内支承素子（２’４）に交換して設置し、ヘッド（１B）重心位置の調整の効果を達成する。
【図面の簡単な説明】
【００１５】
【図１】本考案の立体分解図である。
【図２】本考案のヘッドの上視図である。
【図３】本考案の全体構造の断面図である（配重ブロックがヘッド内に未迫入状態）。
【図４】本考案の組み合わせ完成後の断面図である（配重ブロックがヘッド内に迫入された状態）。
【図５】図４のX-Xの断面図である。
【図６】本考案のもう一つの実施例の断面図である。
【図７】本考案のもう一つの実施例の断面図である。
【符号の説明】
【００１６】
１、  
１A、１B  ヘッド
１１、１A１、１B１  円形凸柱
１２、１A２、１B２  容置槽
１２１  透孔
１２２  制限棒
１A２３、１A２４  滑槽
１B２５  六角孔
２  配重ブロック
２１、２A１  前支承素子
２１１  ２A１１  端頭
２１２  十字型切口
２１３、２A１３  螺孔
２A１４、２A１５  トラック
２２  ２A２  後支承素子
２２１  ２A２１  螺紋段
２２２  工具孔
２３、２A３  切り込み
２’４  内支承素子
２’４１  螺紋段
２’５  外筒
２’５１  裂縫
２’５２  止動ブロック
２‘５３  螺孔
【図１】
0003130408.tif 000003
【図２】
0003130408.tif 000004
【図３】
0003130408.tif 000005
【図４】
0003130408.tif 000006
【図５】
0003130408.tif 000007
【図６】
0003130408.tif 000008
【図７】
0003130408.tif 000009
【手続補正書】
【提出日】平成19年1月24日(2007.1.24)
【手続補正１】
【補正対象書類名】実用新案登録請求の範囲
【補正対象項目名】請求項１
【補正方法】変更
【補正の内容】
【請求項１】
配重調整可能なゴルフクラブヘッドであって、ヘッドの背面下方に数個の円形凸柱を連設し、前記円形凸柱の中心は容置槽を開設し、中にそれぞれ配重ブロックを置入し、前記配重ブロックは、前支承素子、後支承素子、及び、スリーブからなり、前記前支承素子は円錐形体で、中心に螺孔を有し、前記後支承素子は前記前支承素子の錐度に対応して設置された円錐形栓頭で、前端に螺紋段を延伸し、前記螺紋段は前記前支承素子上の螺孔から旋入して旋動し、前記スリーブは、前記前後支承素子の外縁間に係合し、周縁は直筒状で、上に縦向けの切り込みを有し、前記切り込みは筒口から割裂して縫口を形成し、且つ、縦向け切り込みの縫口間は交錯開設をなし、前記スリーブの両端筒口は適当な拡張、及び、回復弾性のギャップを有し、筒壁内面は中央から両端筒口に向けて拡張して、二段の相反方向の円錐形筒孔を呈し、前記筒孔は前記前後支承素子は相同の錐度を有し、その間は緊密に結合し、且つ、前記スリーブは多種の異なる材質からなり、多種の異なる重量の配重ブロックに変化させ、
これにより、前記後支承素子は前記容置槽から旋出し、前記スリーブは前記縦向けの切り込みの回復弾性により、前記容置槽内面間に緩みを形成し、取り出して交換でき、使用者は自身でヘッドの重心位置を調整でき、個人のスウィング姿勢や習慣によりヘッド重心を決定することが出来ることを特徴とする配重調整可能なゴルフクラブヘッド。